(57)【要約】【課題】任意の機器の、任意の機能について、複数のパラメータを一括して制御することができる制御装置、制御方法およびプログラムを提供する。【解決手段】制御装置は、操作部と、設定部と、制御部と、を備えている。操作部は、利用者により複数状態の何れかに設定される。設定部は、前記操作部に対する何れかの機器のオンオフパラメータの割り当てと、何れかの機器のレベルパラメータの割り当てと、割り当てられた各パラメータについて、前記操作子の各状態に対応する設定値と、を受け付ける。制御部は、利用者の操作により前記操作部がある状態になったとき、割り当てられた各パラメータのその状態に対応する前記設定値への設定指示を、そのパラメータに対応する機器に対して送信する。【選択図】図５
2018056949.tif 000002
【特許請求の範囲】
【請求項１】
複数の機器の、オンオフパラメータとレベルパラメータとを含む複数のパラメータを制御する制御装置であって、
利用者により複数状態の何れかに設定される操作部と、
前記操作部に対する何れかの機器のオンオフパラメータの割り当てと、何れかの機器のレベルパラメータの割り当てと、割り当てられた各パラメータについて、前記操作子の各状態に対応する設定値と、を受け付ける設定部と、
利用者の操作により前記操作部がある状態になったとき、割り当てられた各パラメータのその状態に対応する前記設定値への設定指示を、そのパラメータに対応する機器に対して送信する制御部と、
を備えた制御装置。
【請求項２】
前記設定部は、ラッチの指定またはアンラッチの指定を受け付け、
ラッチが指定されている場合、前記操作部は、利用者により操作される毎に第１状態と第２状態にトグルされ、
アンラッチが指定されている場合、前記操作部は、利用者により操作されている間、第２状態に設定され、操作のない間は第１状態に設定されることを特徴とする、
請求項１に記載の制御装置。
【請求項３】
前記設定部は、さらに、待ち時間を受け付け、
前記制御部は、前記操作部がある状態になったとき、その待ち時間だけ待ってから、前記設定指示を送信することを特徴とする、
請求項１または請求項２に記載の制御装置。
【請求項４】
前記設定部は、さらに、変化時間を受け付け、
前記操作部がある状態になったときに前記制御部が送信する前記設定指示は、割り当てられた各パラメータを、現在値からその状態に対応する前記設定値へ、その変化時間をかけて変化させる指示であることを特徴とする、
請求項１乃至請求項３のいずれか１項に記載の制御装置。
【請求項５】
複数の機器の複数のパラメータを制御する制御方法であって、
利用者により複数状態に何れかに設定される操作部に対して、何れかの機器のオンオフパラメータと、何れかの機器のレベルパラメータとを割り当てて、
割り当てられた各パラメータについて、前記操作子の各状態に対応する設定値を受け付け、
利用者の操作により前記操作部がある状態になったとき、割り当てられた各パラメータのその状態に対応する前記設定値への設定指示を、そのパラメータに対応する機器に対して送信する、
制御方法。
【請求項６】
複数の機器の複数のパラメータを制御するコンピュータに実行されるプログラムであって、該コンピュータに、
利用者により複数状態に何れかに設定される操作部に対して、何れかの機器のオンオフパラメータと、何れかの機器のレベルパラメータとを割り当てて、
割り当てられた各パラメータについて、前記操作子の各状態に対応する設定値を受け付け、
利用者の操作により前記操作部がある状態になったとき、割り当てられた各パラメータのその状態に対応する前記設定値への設定指示を、そのパラメータに対応する機器に対して送信する、
動作を実行させるプログラム。
【発明の詳細な説明】
【技術分野】
【０００１】
この発明は、他装置を制御する制御装置、制御方法およびプログラムに関する。
【背景技術】
【０００２】
特許文献１には、構成可変タイプで、オーディオ信号の信号処理を行うオーディオミキサと、該オーディオミキサに接続されたパーソナルコンピュータ（以下、ＰＣと言う。）と、が記載されている。特許文献１におけるＰＣは、他装置であるオーディオミキサ信号処理機能の構成を定義し、そのパラメータを制御する制御装置として機能する。ＰＣは、ＧＵＩ（Graphical User Interface）技術を用いて、画面上に複数の操作子を表示する。複数の操作子は、それぞれオーディオミキサにおける信号処理機能の複数のパラメータに対応付けられている。ユーザは、マウス等を用いて複数の各操作子を操作することで、対応する各パラメータの値を制御することができる。
【先行技術文献】
【特許文献】
【０００３】
【特許文献１】特許掲載公報第４０６３２３１号公報
【発明の概要】
【発明が解決しようとする課題】
【０００４】
さらに、特許文献１には、ＰＣの画面上に表示されたリンク操作子を用いて、オーディオミキサの複数のパラメータを連動して制御すること（リンク制御）が開示されている。しかしながら、特許文献１のリンク操作子は、フェーダやノブなどの連続値を制御する操作子を用いて、複数の連続値のパラメータをリンク制御するものであり、スイッチやラジオボタンなどの離散値を制御する操作子で、複数のパラメータをリンク制御すること、および、オンオフパラメータとレベルパラメータを含む所望のパラメータをリンク制御することはできない。したがって、任意の機器の、任意の機能について、複数のパラメータを一括して制御できない。
【０００５】
そこで、この発明は、オンオフパラメータとレベルパラメータを含む、任意の機器の、任意の機能について、複数のパラメータを一括して制御することができる制御装置、制御方法およびプログラムを提供することを目的とする。
【課題を解決するための手段】
【０００６】
制御装置は、操作部と、設定部と、制御部と、を備えている。操作部は、利用者により複数状態の何れかに設定される。設定部は、前記操作部に対する何れかの機器のオンオフパラメータの割り当てと、何れかの機器のレベルパラメータの割り当てと、割り当てられた各パラメータについて、前記操作子の各状態に対応する設定値と、を受け付ける。制御部は、利用者の操作により前記操作部がある状態になったとき、割り当てられた各パラメータのその状態に対応する前記設定値への設定指示を、そのパラメータに対応する機器に対して送信する。
【０００７】
このように、制御装置は、利用者の操作により操作部がある状態になったとき（例えばオンからオフになったとき）、操作部に割り当てられたパラメータの設定が、その状態に応じた（例えばオフの状態に応じた）設定値に変更される。したがって、ユーザが操作部を操作した時には、該操作部に割り当てられている、任意の機器の、任意の機能について、複数のパラメータが一括して制御される。
【発明の効果】
【０００８】
制御装置は、任意の機器の、任意の機能について、複数のパラメータを一括して制御することができる。
【図面の簡単な説明】
【０００９】
【図１】音響制御システム１の構成を示すブロック図である。
【図２】ＰＣの構成を示すブロック図である。
【図３】図３（Ａ）は、表示器１０１に表示されるＧＵＩの一例であり、図３（Ｂ）は、Ｃｏｍｐ．１のパラメータ編集画面の一例を示す図である。
【図４】図４（Ａ）は、オーディオミキサの構成を示すブロック図であり、図４（Ｂ）は、信号処理部、オーディオＩ／Ｏ、およびＣＰＵで行われる信号処理の等価ブロック図である。
【図５】図５（Ａ）は、ある入力チャンネルｉの回路構成を示した図であり、図５（Ｂ）は、レベルコントロール回路を備えた機能部を示す図であり、図５（Ｃ）はスイッチ回路を備えた機能部を示す図であり、図５（Ｄ）は、レベルコントロール回路およびスイッチ回路を備えた機能部を示す図である。
【図６】ユーザコントロール画面の一例を示す図である。
【図７】ユーザがオンボタン８５を操作した時の動作を示すフローチャートである。
【図８】ユーザコントロール画面の一例を示す図である。
【図９】ユーザコントロール画面の一例を示す図である。
【図１０】ユーザコントロール画面の一例を示す図である。
【図１１】ユーザコントロール画面の一例を示す図である。
【発明を実施するための形態】
【００１０】
図１は、音響制御システムの構成を示すブロック図である。音響制御システム１は、ＰＣ１１、レコーダ１２、オーディオミキサ（以下、ミキサ）１３、シンセサイザ１４、アンプ１５、ミキサ１６、オーディオＩ／Ｏユニット（以下、Ｉ／Ｏユニット）１７、スピーカ１８、およびＬＡＮ（Local Area Network）２０を備えている。ＰＣ１１、レコーダ１２、ミキサ１３、シンセサイザ１４、アンプ１５、ミキサ１６、およびＩ／Ｏユニット１７は、ネットワーク（ＬＡＮ）２０を介して互いに接続されている。ＬＡＮ２０は、機器間でコマンドやレスポンスなどのパケットを伝送できるネットワークであるが、Dante(登録商標)やCobraNet(登録商標)のように、複数ｃｈ分のオーディオ信号をリアルタイム伝送できるものであってもよい。リアルタイム伝送機能のないネットワークである場合は、機器間は、例えば図示しないオーディオケーブル等を用いて接続されてもよい。また、本発明において、各機器の接続態様は、ＬＡＮを介したネットワーク接続に限るものではない。例えば、各機器は、ＭＩＤＩ（Musical Instrument Digital Interface）で接続されていてもよい。
【００１１】
ＰＣ１１は、本発明の制御装置の一例であり、ＬＡＮ２０を介して接続されている他の機器をリモート制御する、汎用のコンピュータ（情報処理装置）である。図２は、ＰＣ１１の構成を示すブロック図である。ＰＣ１１は、表示器１０１、ユーザインタフェース（Ｉ／Ｆ）１０２、ＣＰＵ１０３、ＲＯＭ１０４、ＲＡＭ１０５、およびネットワークインタフェース（Ｉ／Ｆ）１０６を備えている。これら構成は、バス１５１に接続されている。
【００１２】
表示器１０１は、例えばＬＣＤ（Liquid Crystal Display）からなり、種々の情報を表示する。ユーザＩ／Ｆ１０２は、マウスまたはキーボード等からなり、ユーザの操作を受け付ける。ユーザＩ／Ｆ１０２は、表示器１０１とともに、ＧＵＩ（Graphical User Interface）を構成する。
【００１３】
ＣＰＵ１０３は、本発明の設定部および制御部に対応する。ＣＰＵ１０３は、記憶媒体であるＲＯＭ１０４に記憶されているプログラムをＲＡＭ１０５に読み出して、所定の機能を実現する。例えば、ＣＰＵ１０３は、表示器１０１にユーザの操作を受け付けるための操作部の画像を表示し、ユーザＩ／Ｆ１０２を介して、当該操作部の画像に対する選択操作等を受け付けることで、ＧＵＩを実現する。
【００１４】
図３（Ａ）は、表示器１０１に表示されるＧＵＩの一例である。この例に示すＧＵＩでは、ユーザは、自分が所有する各機器のブロック画像を画面上の所望の位置に配置し、ネットワーク２０におけるオーディオ信号の接続態様を設定したり、各機器の各機能のパラメータ値を設定することができる。ユーザは、表示器１０１に表示された画面上において、ユーザＩ／Ｆ１０２を用いて各機器に対応する部品画像を配置して、結線を行なう。図中の各機器のブロックに記載されている小さい四角画像は、オーディオ通信ポートに対応する。１つの通信ポートでは、他の機器との間で、複数ｃｈ分のオーディオ信号を双方向に伝送することができる。
【００１５】
ユーザが、図３（Ａ）に示すある機器のブロック画像をダブルクリックすると、その機器のリモート制御ウィンドウが開く。そのリモート制御ウィンドウには、ユーザが、その機器が備える機能（セレクタ、イコライザ、コンプレッサ、またはアッテネータ、等）の何れかを指定することで、その指定された機能の複数パラメータを表示する制御画面（図３（Ｂ）のパラメータ画面８０、図６のパラメータ画面７０、または図６のパラメータ画面８０等）が表示され、パラメータ値の制御を行うことができる。図３（Ｂ）のパラメータ画面８０の例では、「Ｃｏｍｐ．１」のパラメータとして、スレッショルド（Ｔｈｒｅｓｈ）、レシオ、アタック、ホールド、リリース、およびゲイン等が表示されている。ユーザは、この様な、各機能のパラメータ設定画面において、各パラメータの設定値を入力する。図３（Ｂ）の例では、ユーザは、各パラメータに対応して表示されているノブ画像８１を操作することで、各パラメータの設定値を入力することができる。
【００１６】
ユーザは、音響制御システム１の稼働中に、図３（Ａ）および図３（Ｂ）に示した編集画面で各機器の配置、接続態様、および各機能におけるパラメータの設定値を入力する。ユーザの入力に応じて、画面上で各機器が配置され接続されるとともに、ネットワーク２０における各機器の接続態様がリモートで変更され、各機器の各機能におけるパラメータ値がリモート制御される。
【００１７】
ＰＣ１１のＣＰＵ１０３は、ユーザの入力に応じて、種々のコマンドを対応する機器に送信する。各機器は、受信したコマンドに基づいて、ネットワーク２０におけるオーディオ信号の送受信や各機能の各パラメータ値の設定を行なう。
【００１８】
図４（Ａ）は、音響制御システム１を構成する機器の一例として、ミキサ１３の構成を示すブロック図である。ミキサ１３は、表示器２０１、操作部２０２、オーディオＩ／Ｏ２０３、信号処理部２０４、ネットワークＩ／Ｆ２０５、ＣＰＵ２０６、フラッシュメモリ２０７、およびＲＡＭ２０８を備えている。
【００１９】
これら構成は、バス１７１を介して接続されている。また、オーディオＩ／Ｏ２０３および信号処理部２０４は、デジタルオーディオ信号を伝送するための波形バス１７２にも接続されている。
【００２０】
ＣＰＵ２０６は、ミキサ１３の動作を制御する制御部である。ＣＰＵ２０６は、記憶媒体であるフラッシュメモリ２０７に記憶された所定のプログラムをＲＡＭ２０８に読み出して実行することにより各種の動作を行なう。例えば、ＣＰＵ２０６は、ネットワークＩ／Ｆ２０５を介してＰＣ１１から受信した種々のコマンドに基づいて、オーディオＩ／Ｏ２０３における音信号の入出力、信号処理部２０４におけるミキシング処理、エフェクト処理の制御、またはパラメータの設定値の変更、等を行う。
【００２１】
信号処理部２０４は、ミキシング処理またはエフェクト処理等の各種信号処理を行なうための複数のＤＳＰから構成される。信号処理部２０４は、Ｉ／Ｏユニット１７からネットワーク２０、オーディオＩ／Ｏ２０３、波形バス１７２を介して供給される音信号に、ミキシングまたはイコライジング等のエフェクト処理を施す。信号処理部２０４は、信号処理後のデジタルオーディオ信号を、波形バス１７２、オーディオＩ／Ｏ２０３、ネットワーク２０を介して、Ｉ／Ｏユニット１７やアンプ１５に出力する。
【００２２】
図４（Ｂ）は、信号処理部２０４、オーディオＩ／Ｏ２０３、およびＣＰＵ２０６で行われる信号処理の等価ブロック図である。図４（Ｂ）に示すように、信号処理は、機能的に、入力パッチ３０１、入力チャンネル３０２、第１バス（＃１バス）３０３、第２バス（＃２バス）３０４、第１出力チャンネル（＃１出力チャンネル）３０５、第２出力チャンネル（＃２出力チャンネル）３０６、および出力パッチ３０７によって行なわれる。
【００２３】
入力チャンネル３０２の各チャンネルには、入力パッチ３０１からオーディオ信号が供給される。図５（Ａ）は、ある入力チャンネルｉの回路構成を示す図である。入力チャンネル３０２の各チャンネルは、信号処理ブロック３５１において、入力パッチ３０１から供給されたオーディオ信号に対して、イコライザ（ＥＱ）、またはコンプレッサ（ＣＯＭＰ）等の信号処理を施す。また、入力チャンネル３０２の各チャンネルは、信号処理後のオーディオ信号を、後段のバス（＃１バス３０３および＃２バス３０４）へ送出する。送出するオーディオ信号のレベルは、バス毎に個別に調整できる。例えば、＃１バス３０３に送出されるオーディオ信号は、レベル調整回路３５２において、レベル調整される。レベル調整回路３５２は、レベル調整回路（Ｖｏｌ）およびスイッチ回路（ＣＨ＿ＯＮ）を備えている。したがって、レベル調整回路３５２は、レベル調整を行なうことも可能であるし、信号出力のオン／オフ（ＭＵＴＥ  ＯＮ／ＯＦＦ）を行なうことも可能である。また、＃２バス３０４に送出されるオーディオ信号は、＃２バス３０４の各チャンネルに設けられたレベル調整回路３５３において、レベル調整される。レベル調整回路３５３も、レベル制御回路（ＳＮＤ＿Ｌ）およびスイッチ回路（ＳＮＤ＿ＯＮ）を備えている。したがって、レベル調整回路３５３は、レベル調整を行なうことも可能であるし、信号出力のオン／オフを行なうことも可能である。なお、＃２バス３０４に送出されるオーディオ信号は、セレクタ（図中におけるＰＰと示す回路）において、レベル調整回路３５２を回避することも可能である。また、＃１バス３０３への出力には、出力側スイッチ（Ｔｏ＿＃１）および２チャンネル間のレベルバランス調整回路（ＰＡＮ）が設けられている。
【００２４】
＃１バス３０３および＃２バス３０４は、入力されるオーディオ信号をそれぞれミキシングして、＃１出力チャンネル３０５および＃２出力チャンネル３０６へ出力する。＃１出力チャンネル３０５および＃２出力チャンネル３０６の各チャンネルは、入力されるオーディオ信号に対して、イコライザ、またはコンプレッサ等の信号処理を施す。信号処理を施された後のオーディオ信号は、オーディオＩ／Ｏ２０３に供給される。
【００２５】
以上の信号処理は、各種パラメータの設定値に基づいて制御される。パラメータ値の設定を指示するコマンドは、上述したようにＰＣ１１から受信される。ミキサ１３は、ＰＣ１１によりリモート制御されるパラメータ値に基づいて稼働する。
【００２６】
そして、本実施形態の音響制御システム１では、複数の機器の稼働中に、ユーザがＰＣ１１を操作して、各機器における各機能に対応するオン／オフまたはレベル調整を含む、複数のパラメータを一括して制御することができる。
【００２７】
図６は、ユーザコントロール画面の一例を示す図である。ユーザコントロール画面９０では、ユーザは、所望の機器（例えば、ミキサ１３）の所望の機能の所望のパラメータの操作子を、上述したパラメータ画面７０、８０からドラッグ＆ドロップすることで、任意の機器の、任意の機能の、任意のパラメータの操作子を１つの画面内に配置することができる。なお、ここでは、ミキサ１３における任意の機能、および任意のパラメータを１つの画面内に配置する態様を示すが、他の機器（例えばレコーダ１２、シンセサイザ１４またはアンプ１５等）の任意の機能および任意のパラメータの操作子を配置することもできる。
【００２８】
図６の例では、ユーザは、３つのフェーダと、Ｃｏｍｐ．１のゲインを、ユーザコントロール画面９０に配置している。３つのフェーダは、それぞれ、Ａ：入力チャンネル１の出力レベルに対応するフェーダ、Ｂ：入力チャンネル２の出力レベルに対応するフェーダ、およびＣ：入力チャンネル３の出力レベルに対応するフェーダである。
【００２９】
また、ユーザコントロール画面９０には、オンボタン８５、およびＣＵＥボタン８６が配置されている。オンボタン（以下、単にボタンとも称する）８５とＣＵＥボタン（以下、単にボタンとも称する）８６は、本発明の「操作部」に対応する。また、ボタン８５，８６には、ユーザにより、所望の機器（例えばミキサ１３）に搭載された所望の機能の所望のパラメータ（オン／オフ、レベル）が複数割り当てられ、その各パラメータのオン値とオフ値が設定されている。ＣＵＥボタン８６には、各チャンネルについて、メイン等の出力には用いていない別の系統のバス（例えばモニタ用）にオーディオ信号を出力させる設定が行われている。予め、＃２バスの１つをモニタ用バスとして確保しておき、ユーザの「Ａ  ＣＵＥ」ボタン８６の操作に応じて、Ａ：入力チャンネル１の信号をそのモニタ用バスに供給するよう設定されており、ユーザは、そのバスの信号を例えばヘッドフォンで聴くことができる。
【００３０】
オンボタン８５は、ユーザがオンボタン８５を操作した場合、ＰＣ１１のＣＰＵ１０３が、ミキサ１３に対して、複数の各パラメータに設定値（オン値又はオフ値）を設定するコマンドを送信するよう設定されている。プロパティ欄８７およびその上部には、コントロール画面９０に配置された何れかの１の操作子のプロパティが表示される。ここでは、オンボタン８５が選択されており、従って、プロパティ欄８７およびその上部には、オンボタン８５の設定状態が表示される。図面では、ユーザによりボタン名が「ＯＮ」に設定されており、ボタン８５をオンボタンと呼んでいる。また、ラッチは「する」に設定されており、オンボタン８５は、ユーザが押す度にオンとオフが切り替わる、トグル動作を行う。また、オンボタン８５には、ユーザにより４つのパラメータが割り当てられ、その各パラメータのオン値とオフ値が設定されている。この設定により、現在オフである場合に、ユーザがオンボタン８５を押すと、ＰＣ１１のＣＰＵ１０３は、割り当てられた各パラメータを、そのオン値に設定するコマンドを、そのパラメータを有する機器（例えばミキサ１３）に送信する。ミキサ１３は、受信したコマンドに応じて、そのオン値をそのパラメータに設定する。現在オンである場合に、ユーザがオンボタン８５を押すと、ＰＣ１１のＣＰＵ１０３は、割り当てられた各パラメータを、そのオフ値に設定するコマンドを、そのパラメータを有する機器に送信する。その機器（例えばミキサ１３）は、受信したコマンドに応じて、そのオン値をそのパラメータに設定する。
【００３１】
よって、ユーザは、オンボタン８５を押すことにより、複数の機器（例えばミキサ１３およびミキサ１６）の複数の機能について、一括してオン／オフやレベルの設定を行なうことができる。
【００３２】
より具体的には、図６の例では、プロパティ欄８７に示すように、オンボタン８５には、４つパラメータが割り当てられている。プロパティ欄８７の最上段には、ミキサ１３（Audio Mixer 1）における、インプット（Input）のチャンネル１（ch1）について、オン／オフのパラメータが割り当てられている。プロパティ欄８７の２段目には、ミキサ１３（Audio Mixer 1）における、インプット（Input）のチャンネル２（ch2）について、パラメータとして出力レベルが割り当てられている。プロパティ欄８７の３段目には、ミキサ１６（Audio Mixer 2）における、インプット（Input）のチャンネル３（ch3）について、パラメータとして出力レベルが割り当てられている。さらに、プロパティ欄８７の最下段には、ミキサ１３（Audio Mixer 1）における、コンプレッサ（Ｃｏｍｐ１）について、パラメータとしてゲインが割り当てられている。
【００３３】
すなわち、この例では、ボタン８５、８６には、ユーザが、プロパティ欄８７において、所望の機器の所望のパラメータを割り当てることができる。例えば、ＰＣ１１のＣＰＵ１０３が、複数の各機器からその機器の各機能の複数のパラメータのリストを取得し、ユーザにそのリストの情報を提示して、ユーザに、その中から割り当てたいパラメータを選ばせることができる。
【００３４】
さらに、ユーザは、割り当てた各パラメータ毎に、ボタンがオンされたときの設定値（オン値）、オフされたときの設定値（オフ値）、待ち時間、および変化時間を設定する。
【００３５】
また、割り当てられたパラメータが、図５（Ｃ）に示すようなスイッチのオンオフパラメータである場合には、例えば０のパラメータ値が、オーディオ信号を遮断するオフ状態に対応し、１のパラメータ値が、オーディオ信号を通過させるオン状態に対応する。図５（Ｄ）に示すようなスイッチおよびレベルコントローラの両方を備えている場合には、オーディオ信号の通過／遮断を、スイッチとレベルコントローラの何れのパラメータで実現てもよい。
【００３６】
また、割り当てられたパラメータが、図５（Ｂ）および図５（Ｄ）に示すようなレベルコントローラのレベルパラメータである場合には、オフ状態にしたければ、そのパラメータを−∞ｄＢ（０に相当）の値に設定すればよいが、オン状態にしたい場合は、必ずしも０ｄＢ（１に相当）とせずともよく、所望の値にして同時にオーディオ信号のレベルを制御してもよい。例えば図６に示す２段目および３段目のパラメータについては、オン値に、オーディオ信号をオン状態とする値として１０ｄＢが設定されている。
【００３７】
次に、プロパティ欄８７における各パラメータの待ち時間について説明する。ＰＣ１１のＣＰＵ１０３は、リモート制御用のコマンドの送信タイミングやコマンドそのものを変えることにより、ボタン８５、８６が押されてから、対応する各機器において、各パラメータの値が、その待ち時間だけ待ってから、オン値またはオフ値に変更される（若しくはオン値またはオフ値への変化を開始する）よう制御する。例えば、３段目については待ち時間が５に設定されているため、インプット（Input）のチャンネル３（ch3）の出力レベルは、そのボタンが押されてから５秒後にオンまたはオフされる。同様に、４段目についても待ち時間が５に設定されているため、コンプレッサ（Ｃｏｍｐ）１のゲインは、そのボタンが押されてから５秒後にオン値またはオフ値に変更される。
【００３８】
これにより、ユーザは、ボタン８５、８６を押すだけで、複数の機能をオンまたはオフするタイミングを、相互にずらす（時間差をつける）ことができる。したがって、例えば、直列に接続された機能のうち、前段の機能がオフして、オーディオ信号の入力がなくなってから後段の機能をオフすることができる。また、例えば高レベルの信号を出力する機器からの入力をオンする場合に、まず、ある機器（例えばアンプまたはスピーカ）への出力をオフしてから、高レベルの信号入力をオンする等して、出力側のアンプまたはスピーカ等に過大なレベルの信号が入力されることを防止することができる。ただし、待ち時間の設定は、本発明において必須の構成ではない。
【００３９】
次に、各パラメータの変化時間について説明する。ＰＣ１１のＣＰＵ１０３は、各パラメータの変化時間に基づいて、そのパラメータ値が変化を開始してから、オン値またはオフ値に変更されるまでに要する時間を制御する。パラメータの補間機能を備えた機器に対しては、その変化時間をかけての値の時間補間を指示するコマンドを１つ送信する。補間機能の無い機器に対しては、まずその機器からパラメータの現在値を取得し、その値から徐々にオン値またはオフ値に近づく値を有するコマンドを、所定時間毎、たとえば数十ミリ秒毎に、その機器に送信する。例えば、２段目については変化時間が５に設定されているため、インプット（Input）のチャンネル２（ch2）の出力レベルは、ボタン８５、８６が押されてから５秒かけてオン値またはオフ値に変更される。
【００４０】
これにより、ユーザは、ボタン８５、８６を押すだけで、複数の各パラメータを現在値からオン値またはオフ値にその変化時間をかけて徐々に変化させることができる。したがって、ユーザは、そのボタンを押すだけで、例えば、複数のチャンネルのオーディオ信号をクロスフェードしたり、オーディオ信号のエフェクト処理を２つのエフェクト間でクロスフェードすることができる。ただし、変化時間の設定も、本発明において必須の構成ではない。
【００４１】
さらに、プロパティ欄８７の上部には、「ボタン名：ＯＮ」および「ラッチ：する」等の設定が表示されている。ボタン名は、現在選択されているボタンの名称であり、ＰＣ１１のＣＰＵ１０３は、ここでユーザが設定した名称をそのボタンに表示するよう制御する。ラッチは、そのボタンのラッチ動作の設定であり、ここではユーザが「する」を設定している。この場合、ＰＣ１１のＣＰＵ１０３は、ユーザがボタンを押す度に、そのボタンのオン、オフ状態を交互に切り替える。ラッチが「しない」（アンラッチ）に設定された場合には、ユーザがボタン８５を押している間だけ、ボタンをオン状態とし（各オン値が有効）、ボタンを放した時にはボタンをオフ状態に戻す（各オフ値が有効）。
【００４２】
図７は、制御装置（ＰＣ１１）の動作を示すフローチャートである。ユーザがボタン８５、８６を操作したとき、まず、ＰＣ１１のＣＰＵ１０３は、ユーザの操作に応じてそのボタンの状態を変更する（Ｓ１１）。例えば、「ラッチ：する」に設定されている場合、ユーザがそのボタンを操作したとき、現在の状態がオフである場合はオンにし、オンである場合はオフにする。このとき、ボタン８５、８６のオン、オフの状態を、ボタン８５、８６の点灯、消灯で表示してもよい。あるいは、ボタン８５、８６に「オン」、「オフ」を示す文字等を表示してもよい。
【００４３】
そして、ＣＰＵ１０３は、プロパティ欄８７の最上段（１つ目）を指定して（Ｓ１２）、その段に設定されているパラメータに対応する機器が存在するか否かを判断する（Ｓ１３）。ＣＰＵ１０３は、対応する機器があれば（Ｓ１３：Ｙｅｓ）、その機器の、そのパラメータの値を、リモート制御で、現在のボタンの状態に応じたオン値またはオフ値に設定し（Ｓ１４）、その後に次の段を指定する（Ｓ１５）。すなわち、ＰＣ１１のＣＰＵ１０３は、対応する機器（例えばミキサ１３）に対して、そのパラメータの設定値のうち、ボタンの状態に応じたオン値またはオフ値を設定するコマンドを送信する。ここで、コマンドの送信タイミングや、送信するコマンドの内容等は、設定された「待ち時間」や「変化時間」に基づいて制御される。ＣＰＵ１０３は、対応する機器がない場合（Ｓ１３：Ｎｏ）、次の段を指定する（ｓ１５）。そして、ＣＰＵ１０３は、次の段のパラメータがあればＳ１３から処理を繰り返し（Ｓ１６：Ｙｅｓ）、次の段のパラメータがなければ、処理を終える。
【００４４】
以上の例では、ＰＣ１１のＣＰＵ１０３は、複数のミキサ（ミキサ１３およびミキサ１６）に対して、各機能のパラメータの設定値のうちオン値またはオフ値を送信する態様であるが、他の複数の機器に対して、オン値またはオフ値を送信する態様も可能である。例えば、図８に示すように、ユーザは、レコーダ１２、オーディオミキサ１３、シンセサイザ１４、およびアンプ１５の４の機器をボタン８５に割り当てることもできる。この場合、ユーザは、ボタン８５を押すだけで、複数の機器の、任意の機能に対するオン／オフまたはレベルを制御することができる。
【００４５】
なお、操作部は、「ＯＮ」ボタン８５、「ＣＵＥ」ボタン８６に限らず、例えば図９の「Ｍｕｔｅ」ボタン９５でもよい。例えば、ミュートボタン９５には、ミキサ１３（Audio Mixer 1）の入力チャンネル３のフェーダのパラメータと、ミキサ１６（Audio Mixer 2）のコンプレッサ（ＣＯＭＰ）２の出力ゲインが割り当てられる。ユーザは、プロパティ欄８７において、この２つのパラメータとそのオン値およびオフ値を入力する。これにより、ユーザは、ボタン９５を押すことで、ミキサ１３の入力チャンネル３と、ミキサ１６のコンプレッサ（ＣＯＭＰ）２をミュートできる。例えば、入力チャンネル３のフェーダパラメータと、ミキサ１６（Audio Mixer 2）のコンプレッサ（ＣＯＭＰ）２の出力ゲインを、それぞれ−∞ｄＢとすればよい。
【００４６】
図１０は、１つのボタン９３により、複数のミキサの複数のオーディオ信号を一括してＣＵＥする例である。例えば、ユーザは、予め、モニタ用に確保した、ミキサ１３のバスとミキサ１６のバスとをカスケードし、その後、ＣＵＥボタン９３に、各ミキサの所望の複数チャンネルからそのカスケードしたバスへのセンドレベルを割り当て、そのセンドレベルのオン値とオフ値を設定する。ＣＵＥを目的とする場合、ラッチは「しない」に設定するのがよい。ユーザは、ＣＵＥボタン９３を押すことで、押している間だけ、所望の複数チャンネルオーディオ信号を一括してモニタ用バスへ入力（ＣＵＥ）して確認することができる。そして、ユーザがボタンを押すのを止めると、それら複数チャンネルのオーディオ信号のモニタ用バスへの供給が遮断される。
【００４７】
図１１は、操作部として、一群のボタンのうち、常時何れか１つのボタンがオン状態になり、残りのボタンが全てオフ状態となる、いわゆるラジオボタンを用いる場合の例である。この例では、ユーザコントロール画面において、３つのラジオボタン９７が配置されている。プロパティ欄８７には、ボタン１に対する値、ボタン２に対する値、およびボタン３に対する値がそれぞれ入力されている。例えば、ボタン１に対する値として、オーディオミキサ１３（Audio Mixer 1）のチャンネル１の出力レベルは０ｄＢ、オーディオミキサ１３（Audio Mixer 1）のチャンネル２の出力レベルは１０ｄＢ、オーディオミキサ１６（Audio Mixer 2）のチャンネル３の出力レベルは０ｄＢが入力されている。ボタン２に対する値として、オーディオミキサ１３（Audio Mixer 1）のチャンネル１の出力レベルは１０ｄＢ、オーディオミキサ１３（Audio Mixer 1）のチャンネル２の出力レベルは０ｄＢ、オーディオミキサ１６（Audio Mixer 2）のチャンネル３の出力レベルは−∞ｄＢが入力されている。ボタン３に対する値として、全てのミキサの全てのチャンネルの出力レベルは−∞ｄＢが入力されている。
【００４８】
この場合、ユーザは、ボタン１を押した時には、オーディオミキサ１３（Audio Mixer 1）のチャンネル２のレベルを１０ｄＢ上昇させ、他のチャンネルのレベルは０ｄＢとすることができる。ボタン２を押した時にはオーディオミキサ１３（Audio Mixer 1）のチャンネル１のレベルを１０ｄＢ上昇させるとともにオーディオミキサ１６（Audio Mixer 2）のチャンネル３をミュートさせることができる。ボタン３を押した時には全ミキサの全チャンネルをミュートさせることができる。
【００４９】
以上のようにして、本実施形態の制御装置は、任意の機器の、任意の機能について、複数のパラメータを、ユーザの１操作に応じて一括して制御することができる。
【００５０】
本実施形態の説明は、すべての点で例示であって、制限的なものではない。本発明の範囲は、上述の実施形態ではなく、特許請求の範囲によって示される。さらに、本発明の範囲には、特許請求の範囲と均等の意味および範囲内でのすべての変更が含まれることが意図される。例えば、ミキサは、構成可変タイプであってもよいし、信号処理機能の構成の全てまたは一部が固定されるタイプであってもよい。
【符号の説明】
【００５１】
１１…ＰＣ
１２…レコーダ
１３…オーディオミキサ
１４…シンセサイザ
１５…アンプ
１６…オーディオミキサ
１７…オーディオＩ／Ｏユニット
１８…スピーカ
２０…ＬＡＮ
８０…パラメータ画面
８１…ノブ画像
８５…オンボタン
８６…ＣＵＥボタン
８７…プロパティ欄
９０…ユーザコントロール画面
９３…ＣＵＥボタン
９５…ミュートボタン
９７…ラジオボタン
１０１…表示器
１０３…ＣＰＵ
１０４…ＲＯＭ
１０５…ＲＡＭ
１５１…バス
１７１…バス
１７２…波形バス
２０１…表示器
２０２…操作部
２０４…信号処理部
２０６…ＣＰＵ
２０７…フラッシュメモリ
２０８…ＲＡＭ
３０１…入力パッチ
３０２…入力チャンネル
３０３…第１バス
３０４…第２バス
３０５…第１出力チャンネル
３０６…第２出力チャンネル
３０７…出力パッチ
３５１…信号処理ブロック
３５２…レベル調整回路
３５３…レベル調整回路
【図１】
2018056949.tif 000003
【図２】
2018056949.tif 000004
【図３】
2018056949.tif 000005
【図４】
2018056949.tif 000006
【図５】
2018056949.tif 000007
【図６】
2018056949.tif 000008
【図７】
2018056949.tif 000009
【図８】
2018056949.tif 000010
【図９】
2018056949.tif 000011
【図１０】
2018056949.tif 000012
【図１１】
2018056949.tif 000013